(57)【要約】【課題】本発明の目的は、印刷機の折り装置の新規な収集胴を提供することである。【解決手段】印刷機の折り装置の収集胴であって、シリンダボディの全周に亘って分配されて設けた複数の保持システムであって、シリンダボディは保持システムと備え、保持システムは複数の保持装置を有し、保持装置は、制御カムと、カバーカムとで制御される。シリンダボディは制御カムと共に第１の軸受ボディによってフレームに支持され、カバーカムは第２の軸受ボディによって第１の軸受ボディに対して同軸上に収集胴の軸上に支持され、収集動作中カバーカムと収集胴との間の回転数の差が複数の歯車及び切り替え可能な単一連結器を有する変速伝達装置が可能となり、非収集動作と収集動作との間で切り替えるために、単一連結器が連結解除された状態で、所定の角度分のカバーカムと収集胴との間での相対回転のみが可能であり、単一連結器も所定の角度分回転可能になる。【選択図】図１
2008114599.tif 000002
【特許請求の範囲】
【請求項１】
印刷機の折り装置の収集胴であって、シリンダボディの全周にわたって分配されて設けられている複数の保持システムであって、前記シリンダボディとともに回転する保持システムを備え、前記保持システムはそれぞれ複数の保持装置を有し、前記保持システムそれぞれ前記保持装置の開放及び閉止は、少なくとも１つの制御カムと少なくとも１つのカバーカムとによって制御され、それにより、当該収集胴の収集動作を行わない運転中に１つの又は各制御カムのみが前記保持システムの前記保持装置の開放及び閉止を制御するとともに、当該収集胴の収集動作を行う運転中に１つの又は各制御カムと１つの又は各カバーカムとは前記保持システムの前記保持装置の開放及び閉止を制御するようになっており、当該収集胴の収集動作を行わない運転と収集動作を行う運転との間で切り替えるために、１つの又は各カバーカムと当該収集胴との間で相対変位が実現可能になっている、収集胴において、
前記シリンダボディ（１）は、１つの又は各制御カム（４）とともに、第１の軸受ボディ（２）によってフレーム（３）に支持されており、
１つの又は各カバーカム（６）は、第２の軸受ボディ（７）によって、前記第１の軸受ボディ（２）に対して同軸になるように当該収集胴の軸（２３）上に支持されており、
収集動作を行う運転中１つの又はカバーカム（６）と当該収集胴との間の回転数の差が、複数の歯車（８、９、１０、１１）及び切り替え可能な単一連結器（１３）を有する変速伝達装置によって可能となり、
当該収集胴の収集動作を行わない運転と収集動作を行う運転との間で切り替えるために、前記単一連結器（１３）が連結解除された状態で、所定の角度分の１つの又は各カバーカム（６）と当該収集胴との間での相対回転のみが実現可能であり、それにより、前記単一連結器（１３）も前記所定の角度分回転可能になっていることを特徴とする、収集胴。
【請求項２】
請求項１に記載の収集胴において、
前記第２の軸受ボディ（７）は、当該収集胴の前記軸（２３）上に、軸受（２１）によって、かつ、軸受（２２）によって同軸状に、前記第１の軸受ボディ（２）に回転可能に支持されており、前記第１の軸受ボディ（２）は、前記第２の軸受ボディ（７）を部分的に包囲し、前記第２の軸受ボディ（７）は前記軸（２３）を部分的に包囲することを特徴とする、収集胴。
【請求項３】
請求項１又は２に記載の収集胴において、
前記辺側伝達装置は、変速比が１：１である互いに噛み合う第１の歯車対（８、１１）と、互いに噛み合う第２の歯車対（９、１０）であって、収集動作を行う運転中に必要な回転数の差をもたらす変速比を有する、歯車対と、を有しており、両歯車対の前記第１の歯車（８、９）がそれぞれ、当該収集胴の前記軸（２３）に対応して設けられており、両歯車対の第２の歯車（１０、１１）がそれぞれ、当該収集胴の前記軸（２３）に対して軸平行に延在しているシャフト（１２）に対応して設けられており、当該収集胴の収集動作を行わない運転と収集動作を行う運転との間で切り替えるために、前記単一連結器（１３）は、前記シャフト（１２）に対応して設けられている歯車（１０、１１）間の力の伝達を中断させ、主駆動部の静止状態では、別体の駆動部（１７）が、当該収集胴の前記軸（２３）に対して軸平行に延在するさらなるシャフト（１４）とによって支持されている歯車（１５）と、前記シャフト（１４）に対応して設けられている自由輪（１６）とによって、当該収集胴の前記軸（２３）に対応して設けられている前記第１の歯車対の歯車（８）であって、前記軸（２３）に自由に回転可能に支持されておりかつ前記第２の軸受ボディ（７）に緊密に接続されている、歯車、を回転させ、それによって、１つの又は各カバーカム（６）を回転させることを特徴とする、収集胴。
【請求項４】
請求項３に記載の収集胴において、
当該収集胴の収集動作を行う運転と収集動作を行わない運転との間で切り替えるために、前記駆動部（１７）は、前記シャフト（１２）上に固定されている前記第１の歯車対の前記シャフト（１２）に対応して設けられている歯車（１１）を回転させ、それによって、前記単一連結器（１３）を回転させることを特徴とする、収集胴。
【請求項５】
請求項１又は２に記載の収集胴において、
前記変速伝達装置は、互いに噛み合う第１の歯車対（８、９）であって、収集動作を行う運転中に必要な回転数の差をもたらす変速比を有する、歯車対と、変速比１：１の互いに噛み合う第２の歯車対（９、１０）と、を有し、両歯車対の第１の歯車（８、９）にはそれぞれ、当該収集胴の前記軸（２３）が対応して設けられており、両歯車対の第２の歯車（１０、１１）にはそれぞれ、当該収集胴の前記軸に対して軸平行に延在するシャフト（１２）が対応して設けられており、当該収集胴の収集動作を行わない運転と収集動作を行う運転との間で切り替えるために、前記単一連結器（１３）が、前記シャフト（１２）に対応して設けられている歯車（１０、１１）間の力の伝達を中断し、かつ、ブレーキ（２０）であって、前記シャフト（１２）に対応して設けられている前記第１の歯車対の前記歯車（１１）に対応して設けられている制動ディスク（１９）と共働する、ブレーキが締結されることを特徴とする、収集胴。
【請求項６】
請求項５に記載の収集胴において、
前記単一連結器（１３）を連結解除しかつ前記ブレーキ（２０）を締結した状態では、前記シャフト（１２）に対応して設けられている歯車（１１）であって、前記シャフト（１２）に固定されている、歯車と、当該収集胴の前記軸（２３）に対応して設けられている前記第１の歯車対の歯車（８）であって、前記軸（２３）上に自由に回転可能に支持されているとともに前記第２の軸受ボディ（７）に緊密に接続されている、歯車と、よって、前記第２の軸受ボディ（７）及び１つの又は各カバーカム（６）と、が静止しており、コレに対して、比較的小さな回転数で回転する主駆動部は、前記シリンダボディ（１）と、よって当該収集胴とを、１つの又は各カバーカム（６）に対して回転させることを特徴とする、収集胴。
【発明の詳細な説明】
【技術分野】
【０００１】
本発明は、請求項１のプレアンブルに係る印刷機の折り装置の収集胴に関する。
【背景技術】
【０００２】
印刷機の折り装置は、印刷が施された被印刷材料に折りをつけるために用いられる。ここで、通常、折りをつけるために、ウェブ形状の被印刷材料はまずいわゆるフォーマに案内され、そこで、未だウェブ形状のままであり分離されていない被印刷材料に、長手方向の折りをつける。フォーマから出ると、ウェブ形状の被印刷材料は、複数の牽引ローラを通って断裁胴（Schneidmesserzylinder）の方向に搬送される。そして、断裁胴において、ウェブ形状の被印刷材料は、横方向に断裁されることによって、個々の部分（Exemplare）として分離される。断裁胴においてウェブ形状の被印刷材料から分離された個々の部分は、断裁胴と共働する胴によって保持されるか又は受け取られる。ここで、この胴の保持装置は、被印刷材料から分離された個々の部分のためのピン（Punkturnadeln）又はくわえとして構成されている。したがって、これに応じて、断裁胴と共働する胴は、ピン胴又はくわえ胴として構成されている。分離された個々の部分に対して横方向の折りをつける場合は、ピン胴又はくわえ胴内に折りブレードが一体化される。この折りブレードは、ピン胴又はくわえ胴と共働する折り用つかみ胴の折り用つかみ具間で横方向の折りをつけながら、個々の部分を押圧する。個々の部分に横方向の折りをつけない場合には、ピン胴又はくわえ胴には折りブレードは一体化されない。ウェブ形状の被印刷材料から分離され場合によっては横方向の折りがつけられた個々の部分に、折り台の領域において、第２の長手方向の折りをつけることができる。この第２の長手方向の折りは、フォーマ内で形成された長手方向の折りに対して平行に延在するものである。
【０００３】
断裁胴と共働するピン胴又はくわえ胴は、折り装置の収集機能を提供するために、いわゆる収集胴として構成され得る。このような収集胴を用いることによって、収集胴の領域において複数の個々の部分を互いに重ねて載置することで収集することが可能である。場合によっては収集胴の折りブレードが収集動作を行う運転及び収集動作を行わない運転中には、保持装置の特別な制御及び収集胴の折りブレードの移動が必要である。この場合、収集動作を行う運転中に保持装置を開放及び閉止することは、収集胴の少なくともそれぞれ１つの制御カムとそれぞれ１つのカバーカムとによって制御される。収集動作を行わない運転中には、保持装置の開放及び閉止ならびに折りブレードの移動は、制御カムのみによって制御される。
【０００４】
請求項１のプレアンブルに記載の特徴を有する印刷機の折り装置の収集胴が、特許文献１から公知となっている。ここで、収集胴は、少なくとも１つの制御カムに加えて、少なくとも１つのカバーカムをさらに有している。特許文献１に係る収集胴の収集動作を行う運転と収集動作を行わない運転との間を移行させるために、１つ又は複数のカバーカムを、部分的にウォーム歯車として構成されているシャフト上に軸方向に変位可能に支持されている中空ピニオンによって駆動することができる。ここで、収集胴は、中空ピニオンの軸方向の変位によって、収集動作を行う運転と収集動作を行わない運転との間で移行可能又は切り替え可能になっている。収集胴をこのように構成すると、収集胴は比較的大きな構造形状となってしまう。
【特許文献１】独国特許第３８１０４３９号明細書
【発明の開示】
【発明が解決しようとする課題】
【０００５】
上記に鑑みて、本発明の課題は、印刷機の折り装置の新規な収集胴を提供することである。
【課題を解決するための手段】
【０００６】
上記課題は、請求項１に記載の折り装置の収集胴によって解決される。
【０００７】
本発明によると、シリンダボディは、１つの又は各制御カムとともに、第１の軸受ボディによってフレームに支持されており、１つの又は各カバーカムは、第２の軸受ボディによって、第１の軸受ボディに対して同軸になるように収集胴の軸上に支持されており、収集動作を行う運転中１つの又はカバーカムと収集胴との間の回転数の差が、複数の歯車及び切り替え可能な単一連結器を有する変速伝達装置によって可能となり、収集胴の収集動作を行わない運転と収集動作を行う運転との間で切り替えるために、単一連結器が連結解除された状態で、所定の角度分の１つの又は各カバーカムと収集胴との間での相対回転のみが実現可能であり、それにより、単一連結器も所定の角度分回転可能になっている。
【０００８】
本発明に係る収集胴では、収集胴の収集動作を行わない運転と収集動作を行う運転との間で移行させることは、１つの又は各カバーカムと収集胴との間の相対回転のみによって行われる。
【０００９】
特許文献１に係る先行技術とは異なり、収集胴の収集動作を行わない運転と収集動作を行う運転との間で移行させる際には、収集胴の構成要素群の軸方向の移動は行われない。したがって、本発明に係る収集胴は、先行技術と比べて構造形状が小さい。さらに、本発明に係る収集胴の実施形態は、構造上簡単でありよってコストがかからない。
【発明を実施するための最良の形態】
【００１０】
本発明の好適な構成を従属請求項及び以下の説明から明らかにする。本発明に実施例を図面に基づいて詳細に説明するが、本発明はこれら実施例に限定されない。
【００１１】
以下、本発明を図１及び図２を参照しながら詳細に説明する。図１及び図２は、本発明に係る印刷機の折り装置の収集胴の異なる２つの実施例を示している。
【００１２】
図１は、本発明の第１の実施例に係る収集胴の部分断面図を示す。図１の収集胴は、シリンダボディ１を有しており、このシリンダボディは、第一の軸受ボディ２によって、折り装置のフレーム３に支持されている。さらに、この軸受ボディ２には、制御カム４が係合している。この制御カムによって、収集胴が収集動作を行わない運転状態で、シリンダボディ１に対応して設けられるとともにシャフト５に固定されている保持装置を制御することができるようになっている。この保持装置は、ピン（Punkturnadeln）又はくわえとして構成されていることが好ましい。
【００１３】
収集胴の収集動作を行う運転中に、これら制御カム４は、カバーカム（Abdeckkurve）６と共働する。このカバーカムは、第２の軸受ボディ７に対応して設けられている。第２の軸受ボディ７は、第１の軸受ボディに対して同軸に延在しており、かつ、軸受２１によって収集胴の軸２３上に回転可能に支持されている。さらに、第２の軸受ボディ７は、軸受２２によって、第１の軸受ボディ２に対して回転可能に支持されている。ここで、図１によると、第２の軸受ボディ７は、収集胴の軸２３の一部分を包囲しており、第１の軸受ボディ２は、第２の軸受ボディ７を部分的に包囲している。
【００１４】
上述したように、シリンダボディ１に対応して設けられるとともにシャフト５に固定されている、収集胴の保持装置は、収集動作が行われない運転状態では制御カム４によってのみ制御され、収集動作を行う運転中には、制御カム４だけではなくカバーカム６によっても制御され、その場合には収集胴とカバーカムとの間に所定の回転数の差が必要である。この回転数の差は、複数の歯車８、９、１０及び１１を有する歯車変速装置によって提供される。図１によると、歯車８及び９は、収集胴の軸２３に対応して設けられており、コレに対して歯車１０及び１１は、軸２３に対して軸平行に延在しているシャフト１２に対応して設けられている。このシャフトには、切り替え可能な単一連結器（Eindeutigkeitskupplung）１３が対応して設けられている。歯車８及び１１は、互いに噛み合い、第１の歯車対を形成する。同様に、歯車９及び１０は互いに噛み合い、第２の歯車対を形成する。歯車８及び１１によって形成される第１の歯車対は、変速比１：１を有する。これに対して、歯車９及び１０によって形成される第２の歯車対は、収集動作を行う運転中に必要とされる収集胴と収集胴のカバーカム６との間の回転数の差が提供され得るような変速比を有する。
【００１５】
図１によると、第１の歯車対歯車対の歯車８は、収集胴の軸２３上に自由に回転可能に支持されている。これに対して、第１の歯車対の歯車１１は、シャフト１２上に固定されている。第２の歯車対の歯車９は、収集胴のシャフト２３上に固定されている。第２の歯車対の歯車１０は、基本的にはシャフト１２上に自由に回転可能に支持されているが、単一連結器１３を介してシャフトに固定されてもよい。したがって、軸２３に対応して設けられている第１の歯車対の歯車８は、いわゆる空回り車として構成されている。この空回り車は、軸２３に対して回転することができるものである。歯車１０及び１１を担持しているシャフト１２は、一方ではフレーム３に、他方では補助フレーム２４に回転可能に支持されている。シャフト１２に対応して設けられている単一連結器１３によって、歯車１０及び１１間での力の伝達を行ったり中断したりすることができる。
【００１６】
単一連結器１３によって両歯車１０及び１１間で力の伝達が行われる場合には、この両歯車１０及び１１は、同じ回転数でシャフト１２とともに回転する。これに対して、単一連結器１３によって歯車１０及び１１間の力の伝達を中断する場合には、歯車１０は空回り車として、歯車１１及びシャフト１２とは無関係に回転可能になる。
【００１７】
図１に図示されている収集胴を、収集動作を行う運転と収集動作を行わない運転との間で切り替えるために、単一連結器１３を締結解除した状態で、カバーカム６と収集胴とを所定の角度分のみ相対回転させることが可能である。この場合、単一連結器１３もまた、この角度の分だけ回転可能である。
【００１８】
上述したように、単一連結器１３は、締結解除された状態で、シャフト１２に対応して設けられている歯車１０及び１１間の力の伝達を中断するので、折り装置の主駆動部が停止している状態では、別体の駆動部１７が、カバーカム６を収集胴に対して回転させることができる。この目的のために、別体の駆動部１７は、収集胴の軸２３に対して軸平行に延在するさらなるシャフト１４上に支持されている歯車１５と、このシャフト１４に対応して設けられている遮蔽されている自由輪１６とによって、第１の歯車対の歯車８内に駆動力を伝達する。これによって、歯車８と緊密に連結されている第２の軸受ボディ７が回転される。既に上述したようにこの第２の軸受ボディ７にはカバーカム６が係合するので、これによってカバーカム６は収集胴に対して回転される。歯車８が歯車１１と嵌合状態にありかつ歯車８と１１の変速比が１：１であるため、カバーカム６を所定の角度分回転させる際に、単一連結器１３もまたこの所定の角度分回転される。これに対して、歯車９及び１０は、単一連結器が締結解除されている場合には静止している。歯車１５は、自由輪１６と回転トルク伝達不能に（drehmomentensteif）接続されている。駆動部１７は、シャフト１４と回転トルク伝達不能に接続されている。
【００１９】
単一連結器１３は、複数の切り替え点を有している。これら切り替え点はそれぞれ、所定の角度分互いに対してずれている。単一連結器１３を締結することは、単一連結器１３の対応の連結ディスクが各角度分互いに対して回転させられた場合にのみ可能である。図１は、歯車１０に対応して設けられている連結ディスク１８を示している。収集胴が３カットオフ分大きくかつカバーカム６と制御カム４の変速比が四分の三である場合に、収集動作を行う運転から収集動作を行わない運転への切り替え角度は４５度であり、収集動作を行わない運転から収集動作を行う運転への切り替え角度は１３５度である。こうすることで、単一連結器１３に関して４つの切り替え点を実現することができるようになる。
【００２０】
したがって、本発明に係る収集胴１の場合、収集動作による製造と収集動作を行わない製造との間の切り替えは、カバーカム６と収集胴との相対回転のみによって行われる。このような切り替えにおいては、収集胴の構成要素群の軸方向の移動は必要ない。カバーカム６を担持する軸受ボディ７と制御カム４を担持する軸受ボディ２とを同軸で軸受することによって、軸受回転数が分割される。ここで、収集胴の軸２３と軸受ボディ７との間の軸受２１は、カバーカム６の回転数と収集胴との間で異なる回転数を与えられており、両軸受ボディ２、７間の軸受２２は、カバーカム６の回転数を与えられている。
【００２１】
図１の実施例では、収集胴の収集動作を行う運転と収集動作を行わない運転との間で切り替えることは、別体の駆動部１７によって行われる。この別体の駆動部は、単一連結器１３を締結解除した状態で、遮断された自由輪１６及び自由輪１６と回転トルク伝達不能に接続されている歯車１５によって、カバーカム６と、単一連結器１３によって折り装置の主駆動部から分離されている変速伝達装置の部分とを、所定の角度分回転させる。ここで、単一連結器１３もまた、この角度分回転される。
【００２２】
図２は、本発明に係る印刷機の折り装置の収集胴の第２の実施例を示す。この場合、図２の収集胴の基本的な構造は、図１の実施例に相当しているので、同じ構成要素群については不必要な繰り返しを避けるために同じ参照符号を使用している。以下では、図２の実施例が図１の実施例と相違する点についてのみ説明する。
【００２３】
図２の実施例では、カバーカム６と収集胴との間の相対回転を行うためには別体の駆動部は必要ないので、図２の実施例には、構成要素群１４、１５、１６及び１７はない。
【００２４】
図２の実施例では、カバーカム６と収集胴との間で相対回転のみを行うことは、第１の歯車対の歯車１１に、ブレーキ２０と共動する制動ディスク１９を対応させて設けることで、収集胴の収集動作を行わない運転と収集動作を行う運転との間で切り替えるために、単一連結器１３を締結解除した状態で、すなわち、歯車１０及び１１間での力の伝達を中断した状態で、ブレーキ２０が締結されるようになること、によって実現される。単一連結器１３を締結解除しブレーキ２０を締結させた状態では、第１の歯車対の歯車１１及び８は、折り装置の主駆動部が比較的小さな回転数で回転する場合には、停止したままである。このような条件下では、第２の軸受ボディ７に対応して設けられているカバーカム６もまた停止する。その理由は、軸受ボディ７は第１の歯車対の歯車８に緊密に接続されているからである。しかし、これに対して、単一の連結器１３を締結解除しブレーキ２０を締結させた状態では、収集胴はカバーカム６に対して回転される。この場合は、単一連結器１３もまたそれに応じて回転される。
【００２５】
ここで、同じ角度でカバーカム６と単一連結器１３とが回転するようにするために、図２の実施例では、第２の歯車対の互いに噛み合う歯車９及び１０の間の変速比は１：１である。これに対して、第１の歯車対の歯車８及び９の間の変速比は、収集動作を行う運転中に必要とされる、収集胴とカバーカム６との間の回転数の差をもたらす。
【００２６】
上述したように収集動作を行う運転と収集動作を行わない運転との間で収集胴を切り替えた後で、単一連結器１３を締結して、ブレーキ２０を締結解除する。図１に実施例に対する図２の実施例の利点は、図２の実施例の場合には、カバーカム６と収集胴との間の相対回転を保証するための別体の駆動部は必要ないということである。
【図面の簡単な説明】
【００２７】
【図１】本発明の第１の実施例に係る印刷機の折装置の本発明に係る収集胴の概略図である。
【図２】本発明の第２の実施例に係る印刷機の折装置の本発明に係る収集胴の概略図である。
【符号の説明】
【００２８】
１  シリンダボディ
２  軸受ボディ
３  フレーム
４  制御カム
５  シャフト
６  カバーカム
７  軸受ボディ
８  歯車
９  歯車
１０  歯車
１１  歯車
１２  シャフト
１３  単一連結器
１４  シャフト
１５  歯車
１６  自由輪
１７  駆動部
１８  連結ディスク
１９  制動ディスク
２０  ブレーキ
２１  軸受
２２  軸受
２３  軸
２４  補助フレーム
【図１】
2008114599.tif 000003
【図２】
2008114599.tif 000004